(57)【要約】      （修正有）【課題】レール積み卸し作業全体を大幅に効率化できる装置を提供する。【解決手段】レール運搬車のフラットな床面に取り付けられるベースプレート２と、ベースプレート２のレール運搬車における床面の側縁部側に位置する端部に、床面に対して起立した状態と前記床面に沿って倒れた状態とに姿勢を変えられるように取り付けられたポスト４と、ポスト４の頂部に、ポスト４の延長方向とポスト４に対する直角方向とに折り曲げ可能に取り付けられたガーダー７と、ガーダー７に、ガーダー７の長さ方向に移動自在に取り付けられかつレールを吊り上げおよび吊り下ろしできる昇降ユニット８とから構成されている。【選択図】図１
2019210780.tif 000002
【特許請求の範囲】
【請求項１】
レール運搬車のフラットな床面に取り付けられるベースプレートと、
前記ベースプレートの前記レール運搬車における床面の側縁部側に位置する端部に、前記床面に対して起立した状態と前記床面に沿って倒れた状態とに姿勢を変えられるように取り付けられたポストと、
前記ポストの頂部に、前記ポストの延長方向と前記ポストに対する直角方向とに折り曲げ可能に取り付けられたガーダーと、
前記ガーダーに、前記ガーダーの長さ方向に移動自在に取り付けられかつレールを吊り上げおよび吊り下ろしできる昇降ユニットと
からなることを特徴とする鉄道レールの積み卸し装置。
【請求項２】
前記ガーダーが前記頂部に取り付けられた２基の前記ポストが、前記床面の左右の側縁部のそれぞれに、前記ポストに対して直角に折り曲げた前記ガーダーが前記床面の中央側を向くように取り付けられていることを特徴とする請求項１に記載の鉄道レールの積み卸し装置。
【請求項３】
前記昇降ユニットは、前記ガーダーに対して移動しないように固定できることを特徴とする請求項１または２に記載の鉄道レールの積み卸し装置。
【発明の詳細な説明】
【技術分野】
【０００１】
本発明は、レール運搬車の床面またはその近傍に取り付けて、レール基地やレール交換現場においてレール運搬車に対してレールの積み卸しを行えるようにした鉄道レールの積み卸し装置に関する。
【背景技術】
【０００２】
鉄道線路においてレールは典型的な消耗部分であり、とくに曲線の外側レールはもっとも消耗が激しく、所定期間毎に、あるいは所定量摩耗する毎にレールを交換する必要がある。鉄道路線には沿線の適当な場所にレールを管理するレールセンター等のレール基地が設けられており、新しいレールを受け入れ、取り外した古いレールを処理している。新しいレールは国内の製鉄所から専用貨車でこのレール基地に運搬されるが、レール基地とレール交換現場との間の輸送は、自走式あるいは機関車牽引式のレール運搬車で行なわれる。特許文献１に示されているレール運搬車両は全長１８ｍの無蓋貨車である。
【０００３】
鉄道レールには定尺レールとロングレールとがあるので、このような無蓋貨車を使用する場合は運搬するレールの長さに合わせて適当な両数の無蓋貨車を連結する。なお、２５ｍの定尺レール輸送専門に設計された２両連結の自走式レール運搬車もある。ディーゼル機関で駆動する自走式であれば、電化区間、非電化区間を問わずあらゆる路線に対応できる。しかしいずれにしてもレール運搬車自体は積み卸し機能を持たないのが普通であるから、レール交換の作業現場でレールを積み卸しするには、レール交換現場に近いしかるべき拠点において必要分のレールをレール運搬車から積み卸し機能を有する積み卸し台車に積み替えて作業現場まで運搬することが必要である。
【０００４】
従来から使用されているレール積み卸し台車の一例を図６に示す。ここに示す積み卸し台車Ｌは走行用の車輪９１と連結器９２とを備えたフラットな小型貨車である。台車床面９０には回転自在なターンテーブル９３が設けられ、その一端にポスト９４とガーダー９５とからなり、ガーダー９５にチェーンブロック等の揚重機９６を搭載した簡単な積み卸し装置９７を取り付けてある。レールを交換現場に運搬する場合、この積み卸し台車Ｌをレールの長さに応じて何両か連結し、各積み卸し台車Ｌにまたがってターンテーブル９３上にレールを複数本並べ、さらに重ねて積み、その状態で機関車等により積み卸し台車Ｌをレール交換現場まで牽引する。ターンテーブル９３を設けるのは、輸送中の線路に曲線等があった場合に対応するためである。
【０００５】
１本の線路の左右両側のレールを同時に交換するものとすれば、到着したレール交換現場ではレールを２本ずつ地上に下ろして行くことになる。２５ｍの定尺レールの場合、６０キロレールであれば１本のレールの重量は１．５トンである。レールを地上に下ろすには、一般に、台車の側面と地上との間に斜めにガイド部材を立てかけ、レールを吊り上げている積み卸し機を徐々にゆるめながらレールをガイド部材に沿ってすべり落とす作業方法が行われている。
【０００６】
なお、ロングレールを地上に下ろす技術として、特許文献２にはレール運搬車にウインチを設け、案内部材をガイドとして貨車をゆっくり移動させながら連続的にレールを地上に下ろして行く技術が記載されている。
【先行技術文献】
【特許文献】
【０００７】
【特許文献１】特開平１０−１２９４７９号公報
【特許文献２】特開２０００−１１０１０２号公報
【発明の概要】
【発明が解決しようとする課題】
【０００８】
特許文献１に記載されている積み卸し台車Ｌを使用して交換現場にレールを下ろす場合、積み卸し台車Ｌの一方の側には積み卸し装置９７のポスト９４があるため、ポスト９４のない側へしかレールを下ろすことができない。そのため、とりあえず線路の片側にレールを２本とも下ろし、ついで積み卸し台車Ｌをレールの長さだけ移動して次の位置で再度レールを２本下ろし、このような作業を繰り返すことにより次々に２本ずつレールを下ろして行かざるを得ない。そして、新しいレールを線路の両側に１本ずつ置くためには、山越機と称する線路の両側にまたがる門形の枠を設置し、積み卸し台車Ｌによって地上に下ろした２本のうちの１本のレールを改めてチェーンブロック等で吊り上げて反対側に移す作業が必要である。このようにしてレール交換の準備が完了する。なお、レール交換後取り外した古いレールを台車に積み込む場合は、以上の手順を逆に行うことになる。
【０００９】
このように、新しいレールを交換場所のレールの両外側に１本ずつ置いて行くのに、レール運搬車からレール積み卸し台車Ｌへの載せ替え、現地での山越機によるレールの移動などの手間が掛かってしまう。これに対して、交換現場での作業は終列車から始発列車までの限られた時間しか許されないから、１回あたりの作業量が限られる。そのため、従来では、全体として大変な日数がかかってしまっているのが実状である。
【００１０】
なお、特許文献２に記載された技術はロングレールに関する技術であり、２５ｍなどの定尺レールの積み卸し・運搬を効率よく行うための技術は特許文献２に開示されていない。
【００１１】
本発明は、レール積み卸し作業全体を大幅に効率化することのできる鉄道レールの積み卸し装置を提供することを目的とする。
【課題を解決するための手段】
【００１２】
請求項１に記載の本発明は、レール運搬車のフラットな床面に取り付けられるベースプレートと、前記ベースプレートの前記レール運搬車における床面側縁部側に位置する端部に、前記床面に対して起立した状態と前記床面に沿って倒れた状態とに姿勢を変えられるように取り付けられたポストと、前記ポストの頂部に、前記ポストの延長方向と前記ポストに対する直角方向とに折り曲げ可能に取り付けられたガーダーと、前記ガーダーに、前記ガーダーの長さ方向に移動自在に取り付けられかつレールを吊り上げおよび吊り下ろしできる昇降ユニットとからなることを特徴とする鉄道レールの積み卸し装置である。
【００１３】
請求項２に記載の本発明は、前記ガーダーが前記頂部に取り付けられた２基の前記ポストが、前記床面の左右の側縁部のそれぞれに、前記ポストに対して直角に折り曲げた前記ガーダーが前記床面の中央側を向くように取り付けられていることを特徴とする鉄道レールの積み卸し装置である。
【００１４】
また、請求項３に記載の本発明は、前記昇降ユニットは、前記ガーダーに対して移動しないように固定できることを特徴とする請求項１または２に記載の鉄道レールの積み卸し装置である。
【発明の効果】
【００１５】
本発明によれば、レール運搬車に積み卸し機能を付与することによって、レール運搬車と他の適宜の台車との間でのレールの積み替えをなくすことができ、しかも線路の両側にレールを積み卸しできるため従来必要としていた山越器を使用するレールの移動も不要となり、新旧レールの積み卸し作業が大幅に効率化されるという、すぐれた効果を奏する。
【図面の簡単な説明】
【００１６】
【図１】本発明の鉄道レールの積み卸し装置の第１の実施例を示す斜視図である。
【図２】図１の鉄道レールの積み卸し装置の起伏状態を説明する説明図である。
【図３】本発明の鉄道レールの積み卸し装置の第１の実施例における自在継手周辺を示す部分側面図である。
【図４】本発明の鉄道レールの積み卸し装置の第２の実施例を示す斜視図である。
【図５】本発明の鉄道レールの積み卸し装置の使用状況を示す説明図である。
【図６】従来公知の鉄道レールの積み卸し台車を示す斜視図である。
【発明を実施するための形態】
【００１７】
以下本発明の実施例について図面により詳細に説明する。
【００１８】
（実施例１）
図１は本発明に係る鉄道レールの積み卸し装置の第１の実施例を示す斜視図である。この積み卸し装置１は、追って図５に示すようなレール運搬車Ｔのフラットな床面Ｄにまくら木Ｃ方向（レール運搬車Ｔが停車している線路のまくら木Ｃと同じ向き）に固定した細長いベースプレート２と、その両端部、すなわちレール運搬車Ｔの床面Ｄの側縁部に取り付けられ、基部側蝶番３を介して垂直方向に起立、水平方向に倒置自在な一対のポスト４と、このポスト４の頂部に、ポスト４の延長方向と直角方向とに折り曲げ可能で、起立状態において水平方向となるように取り付けられたガーダー７とを備えている。前記ポスト４が起立している状態において、前記ガーダー７に、ガーダー７の長さ方向に横行自在な昇降ユニット８が取り付けられる。昇降ユニット８はチェーンブロック等の揚重機を備えている。昇降ユニット８は、ガーダー７に対して取り付け・取り外し可能であってよく、またガーダー７の任意の位置で移動しないように固定できるように構成されている。したがって、ガーダー７の任意の位置においてレール等の重量物を昇降ユニット８によって吊り上げ、その状態で昇降ユニット８をガーダー７の長さ方向に移動させた後、任意の位置で昇降ユニット８を固定し、この重量物を吊り下ろしできる。
【００１９】
なお、この実施例ではベースプレート２は、レールの積載に邪魔にならない床面Ｄの外縁部分や、補剛部材である側板（図５に符号Ｆで示す）の上部などに固定してある。
【００２０】
レール積み卸し現場に停車している２両連結のレール運搬車Ｔから、レール運搬車Ｔの側縁部に取り付けられた本発明の鉄道レールの積み卸し装置１によりレールＲを地上に吊り下ろしている状況を図５に示す。２両連結の自走式レール運搬車Ｔの床面Ｄには交換予定の新レールが積み込まれている。このうちの１本をここで下ろすのである。符号Ｇは線路脇の地上からレール運搬車Ｔに向けて立てかけられたガイド部材で、昇降ユニット８の揚重機をゆるめるとレールＲはこれに沿って斜めにすべり落ちる。なお、作業中の使用状態ではガーダー７の先端は車両限界よりも外側まで突出している。作業終了後はガーダー７を後述する図２に示すように折り畳み、ポスト４を倒して車両限界内に収容してから走行するので問題はない。
【００２１】
図５からもわかるように、吊り上げ、吊り下ろしできるのはレール運搬車Ｔの停車している線路の片側、ポスト４がない側のみである。
【００２２】
そこで本発明においては、この鉄道レールの積み卸し装置１を一対２基、レール運搬車Ｔの床面付近にまくら木Ｃ方向に固定されているベースプレート２の両端に向かい合わせに取り付け、一対２基のどちらも使用できるようにした。そして使用していない積み卸し装置１については、図１に示すように、前記ポスト４を矢印ａのように水平に倒し、前記ガーダー７を矢印ｂのようにその延長方向、すなわちレール方向（レール運搬車が停車している線路のレールと同じ向き）に向けて前記ベースプレート２と同じ床面Ｄに水平状態に寝かせることができる。このようにすると、使用していない側の積み卸し装置１はあたかもレール運搬車Ｔに積載されているレールＲと同じような存在であり、積み卸しするレールＲは自由にその上を通過できるから、一対２基の積み卸し装置１のうちいずれかを使用することにより線路のいずれの側へもレールの積み卸しが可能となるのである。
【００２３】
図２は、図１の積み卸し装置１におけるポスト４の構成およびその起伏を説明する説明図である。ポスト４は２枚の板状部材４ａ，４ｂで構成され、それぞれがベースプレート２と基部側蝶番３ａ，３ｂでピン結合され、先端側は先端部蝶番５ａ，５ｂで自在継手６とピン結合されて平行四辺形のリンクを構成している。したがってポストが起倒しても自在継手６は傾倒しないで同じ姿勢で上下する。
【００２４】
図３はこの実施例における自在継手周辺を示す部分側面図である。断面形状がコの字状の自在継手６がポスト４上端の先端部蝶番５に支持されている。その中心位置に縦ピン６１が嵌まっており、ガーダー７が縦ピン６１を中心として首振り自在に支持されている。レールの積み卸しの際はガーダー７をまくら木Ｃ方向にして使用する。
【００２５】
ところで、前記したように線路の曲線部分はレールの摩耗が激しいのでレール交換の頻度が高い。すなわちレール運搬車Ｔが曲線箇所に停車してレールの積み卸しを行うことはしばしばある。曲線部分のレールは、通過する列車の遠心力を軽減するために内軌に対して外軌を高くする「カント」と呼ばれる傾斜を設けているため、レール運搬車Ｔは傾いた状態で停車している。したがってポスト４も同じ角度で傾斜しており、ガーダー７も水平ではない。在来線の軌間１０６７ｍｍにおいて曲線の最少半径を３００ｍとすれば、カント量は１０５ｍｍ程度であり、傾斜角度は約６度である。
【００２６】
しかしその状態ではチエーンブロックなどの昇降ユニット８が横移動するのに不都合であるから、ポスト４に対してガーダー７を俯仰可能とし、その位置における傾斜分だけガーダー７を傾けて水平にするか、あるいはガーダー７に取り付けられる昇降ユニット８にガーダー７の任意の位置で固定できるブレーキなどを設けることが好ましい。この実施例では特に図示しないが昇降ユニット８をチェーン駆動で横移動させ、回転モータを停止すれば昇降ユニットは停止位置から動かないようにしている。
【００２７】
（実施例２）
第２の実施例を図４により説明する。なお、図４では昇降ユニット８を省略してある。第１の実施例と比較して、ポスト４は２枚の板ではなく一体の柱体であり、基部側蝶番３も単純な蝶番である。自在継手は、ポスト４の上端に直接取り付けられており、前述した先端部蝶番はない。そしてガーダー７は縦ピンではなく、水平ピン６８で自在継手６に取り付けられ、向きはまくら木Ｃの方向に固定されている。使用しない場合はポスト４を矢印ｃのように倒し、９０度に曲がっていたガーダー７を矢印ｄのように伸ばしてポスト４と直線状にして寝かせるのである。電化区間の場合、伸ばす過程でガーダー７の先端が車両限界を超えて架線に接触しないように注意が必要である。寝かせることによる効果は第１の実施例と同じである。
【００２８】
以上説明したように、本発明の鉄道レールの積み卸し装置は、レール運搬車Ｔの床面Ｄに対して起伏自在であって使用しない場合には、レールＲの積み卸しの障害にならない。そのため、レール運搬車Ｔの左右両側の側縁部に設け、いずれか一方のみを使用することが可能であり、どちらか一方のみを使用し、使用しない側の積み卸し装置は床面Ｄ上に倒しておくので、必要に応じて線路のどちら側にもレールを積み卸しすることができる。
【００２９】
なお、ポストとガーダーを倒す場合、本発明ではポストに対してガーダーを９０度曲げてポストとガーダーを直線状にするのであるが、ガーダーを１８０度曲げて完全に折り畳んだり、ポストの中にガーダーを引き込んだりすることも考えられないわけではないが、昇降ユニットを取り付けたままガーダーを引き込むことには問題があり、また揚重設備であるから各構造部材や蝶番部分の強度は十分保証されなければならず、さらに人力で行わなければならないようなやや複雑な取扱いは作業を自動化するという観点からは不利である。
【００３０】
本発明の鉄道レールの積み卸し装置は、レール運搬車に油圧ユニットを備えることにより、ポストの起倒、ガーダーの伸ばし等の操作を容易に自動化でき、レール交換作業を一層効率化することが可能である。
【符号の説明】
【００３１】
１…積み卸し装置、  ２…ベースプレート、  ３…基部蝶番、  ４…ポスト、  ５…先端部蝶番、  ６…自在継手、  ７…ガーダー、  ８…昇降ユニット（揚重機）、  ６１…縦ピン、  ９０…台車本体、  ９１…車輪、  ９２…連結器、  ９３…ターンテーブル、  Ｃ…まくら木、  Ｄ…床面、  Ｆ…（レール運搬車の）側板、  Ｇ…ガイド部材、  Ｌ…レール積み卸し台車、  Ｒ…レール、  Ｔ…レール運搬車。
【図１】
2019210780.tif 000003
【図２】
2019210780.tif 000004
【図３】
2019210780.tif 000005
【図４】
2019210780.tif 000006
【図５】
2019210780.tif 000007
【図６】
2019210780.tif 000008